(57)【要約】【課題】本発明は、木質の横架材と壁パネルとを所定の間隔をもって離間させることができるようにした壁パネル取付構造を提供する。【解決手段】壁パネル取付構造は、鉛直方向に延在する壁パネルＰ１，Ｐ２の水平方向の出入り調整に利用される下地鋼材６は、鉛直フランジ５が木質の横架材３の上面３ａの端部から所定長さＡだけ突出した状態で、水平フランジ４が横架材３の上面３ａにビス類の一例をなすラグスクリュー３０により固定されている。そして、横架材３の前面３ｂにビス類の一例をなす木ねじ５１によって固定された支持部材５０の上端５０ａにより、下地鋼材６の水平フランジ４の下面４ａは支持される。【選択図】図５
2014025263.tif 000002
【特許請求の範囲】
【請求項１】
木質の横架材に壁パネルが取付金具を介して固定された壁パネル取付構造において、
前記壁パネルに前記取付金具が固定され、木質の前記横架材に沿って延在するＬ形の下地鋼材の鉛直フランジが前記取付金具に固定され、前記鉛直フランジが木質の前記横架材の上面の端部から所定長さだけ突出した状態で、前記下地鋼材の水平フランジが前記横架材の前記上面にビス類により固定され、前記横架材の前面に別のビス類によって固定された支持部材により、前記下地鋼材の前記水平フランジの下面は支持されることを特徴とする壁パネル取付構造。
【請求項２】
前記支持部材は、平板状であり、前記支持部材の上端は、前記下地鋼材の前記水平フランジの前記下面のうちの前記横架材の前記上面の端部から突出する部分に当接されることを特徴とする請求項１記載の壁パネル取付構造。
【請求項３】
前記支持部材は、水平フランジと垂直フランジとからなるＬ形であり、前記支持部材の前記水平フランジは、前記下地鋼材の前記下面のうちの前記横架材の前記上面の端部から突出する部分に当接されることを特徴とする請求項１記載の壁パネル取付構造。
【請求項４】
前記支持部材は、水平フランジと垂直フランジとからなるＬ形であり、前記支持部材の前記水平フランジは、前記横架材の前記上面と前記下地鋼材の前記水平フランジとの間に配置されることを特徴とする請求項１記載の壁パネル取付構造。
【発明の詳細な説明】
【技術分野】
【０００１】
本発明は、木質の横架材に取付金具を介して壁パネルが取り付けられた壁パネル取付構造に関するものである。
【背景技術】
【０００２】
従来、木質軸組工構法で建てられた木造住宅に、留め付け金具を介して壁パネル（外壁板）を固定してなる壁パネル取付構造にあっては、特許３４５４２４４号公報（特許文献１）に開示されている。この公報に記載された壁パネル取付構造にあっては、留め付け金具（取付金具）を下側の外壁板の上辺部及び上側の外壁板の下辺部に係合させて、留め付け金具を、ビスにより構造躯体の縦柱に固定する。そして、壁パネルは、この留め付け金具に引っ掛けるようにして固定されている。また、特許３６８６７０１号公報（特許文献２）に記載の壁パネル取付構造にあっては、上層のＡＬＣパネル壁および下層のＡＬＣパネル壁は、下部取付金物および上部取付金物を介して木製梁（横架材）に取り付けられている。下部取付金物と上層のＡＬＣパネル壁とは、下部取付金物の縦片のボルト挿通孔を通してボルトによって固定され、下部取付金物は、ビス等のタッピングネジが、下部取付金物の横片のセルフタッピングネジ挿通孔から木製梁にねじ込まれて固定されている。また、上層のＡＬＣパネル壁の下端は下部取付金物のパネル端受部片によって受け止められている。また、上部取付金物と下層のＡＬＣパネル壁とは、下部取付金物と同様に垂下片のボルト挿通孔を通してボルトによって固定され、上部取付金物は、タッピングネジが横片のセルフタッピングネジ挿通孔から木製梁にねじ込まれて固定されている。
【先行技術文献】
【特許文献】
【０００３】
【特許文献１】特許３４５４２４４号公報
【特許文献２】特許３６８６７０１号公報
【発明の概要】
【発明が解決しようとする課題】
【０００４】
前述した特許文献２記載の壁パネル取付構造では、壁パネルの重量を考慮して、木製梁（横架材）に集成材を利用し、取付金具を介して壁パネルを木製梁に当て付けるようにして固定されている。しかしながら、特許文献２記載の壁パネル取付構造では、壁パネルを木製梁に当て付けることを余儀なくされ、壁パネルと木製梁との間に所定の隙間を設けることができない。このような隙間が無いと、柱や横架材（梁）自体の製作寸法誤差・反り、建て方誤差、柱と横架材（梁）部材との接合部分での不陸などを吸収できず、壁パネルの面が揃わないといった問題がある。
【０００５】
本発明は、木質の横架材と壁パネルとを所定の間隔をもって離間させることができるようにした壁パネル取付構造を提供することを目的とする。
【課題を解決するための手段】
【０００６】
本発明は、木質の横架材に壁パネルが取付金具を介して固定された壁パネル取付構造において、
壁パネルに取付金具が固定され、木質の横架材に沿って延在するＬ形の下地鋼材の鉛直フランジが取付金具に固定され、下地鋼材の鉛直フランジが木質の横架材の上面の端部から所定長さだけ突出した状態で、下地鋼材の水平フランジが横架材の上面にビス類により固定され、横架材の前面に別のビス類によって固定された支持部材により、下地鋼材の水平フランジの下面は支持されることを特徴とする。
ここでいう所定長さとは、建て入れ誤差などを吸収するように出入り調整した長さを示す。所定寸法や所定間隔についても同様である。
【０００７】
この壁パネル取付構造において、木質の横架材と壁パネルとを所定の間隔をもって離間させると、柱や横架材自体の製作寸法誤差・反り、建て方誤差、柱と横架材（梁）との接合部分での不陸などを吸収して壁パネルの面が揃わないような事態を回避させることができる。これを達成するために、木質の横架材に沿って延在するＬ形の下地鋼材が利用される。この下地鋼材は、鉛直フランジが、壁パネルに固定された取付金具に固定され、木質の横架材の上面の端部から所定長さだけ突出した状態で、水平フランジが横架材の上面にビス類により固定される。このように、下地鋼材の鉛直フランジを、木質の横架材の上面の端部から所定長さだけ突出させることで、木質の横架材と壁パネルとを所定の間隔をもって離間させることができる。よって、Ｌ形の下地鋼材の利用により、壁パネルと木製横架材との間を簡単な構成をもって所定の隙間を空けることができる。
さらに、横架材は、木質ゆえに調湿機能をもっているが、横架材には常にパネルの重量が掛かっているので、経年変化によってクリープ変形が発生し易く、しかも木やせも発生する。そして、本発明にあっては、下地鋼材の鉛直フランジを、木質の横架材の上面の端部から所定長さだけ突出させているので、木質の横架材の上面の端部に大きな支圧力が作用するためのクリープ変形が発生し易く、このような変形が起こると、当初は、横架材に沿って水平に固定された下地鋼材の水平フランジが次第に傾いてしまい、それによって鉛直フランジが拝むように下を向いてしまう。この拝み現象によって、壁パネルが傾いたり、取付金具に無理な負荷が加わってしまう。これを防止するために、本発明では、横架材の前面にビス類によって支持部材を固定させ、この支持部材により、下地鋼材の水平フランジの下面を支持する。仮に、支持部材を利用せずに、このような拝み現象を発生させないようにするには、下地鋼材の水平フランジを、木質の横架材の上面に当接させる面積を大きくし、下地鋼材を固定するためのビス類から横架材の前端部までの距離を長くする必要があるが、それによって、下地鋼材の水平フランジの大型化を余儀なくされ、下地鋼材の重量の増大や大型化を招来する。よって、本発明では、支持部材を利用しているので、下地鋼材の小型軽量化を図ることもできる。
【０００８】
また、支持部材は、平板状であり、支持部材の上端は、下地鋼材の水平フランジの下面のうちの横架材の上面の端部から突出する部分に当接される。
このような構成は、支持部材の形状がシンプルであり、支持部材の取り扱い作業性も良好で、低コストを可能にする。
【０００９】
また、支持部材は、水平フランジと垂直フランジとからなるＬ形であり、支持部材の水平フランジは、下地鋼材の下面のうちの横架材の上面の端部から突出する部分に当接される。
このような構成を採用すると、支持部材によって下地鋼材を、横架材の上面の端部から可能な限り前方で支持することができるので、クリープ現象等による下地鋼材の拝み現象を起き難くし、横架材の上面で下地鋼材の無い部分を大きくすることができる。これによって、横架材の上面で床パネルなどの設置面積を大きくすることができる。
【００１０】
また、支持部材は、水平フランジと垂直フランジとからなるＬ形であり、支持部材の水平フランジは、横架材の上面と下地鋼材の水平フランジとの間に配置される。
このような構成を採用すると、支持部材の水平フランジが横架材の上面と下地鋼材の水平フランジとの間で挟持されるので、横架材にクリープ現象や木やせが起きても、支持部材と下地鋼材との一体化を維持させ易い。
【発明の効果】
【００１１】
本発明によれば、木質の横架材と壁パネルとを所定の間隔をもって離間させることができる。
【図面の簡単な説明】
【００１２】
【図１】本発明に係る壁パネル取付構造の一実施形態を示す斜視図である。
【図２】図１に示された壁パネル取付構造の断面図である。
【図３】（ａ）は取付金具を示す斜視図、（ｂ）は自重受金具を示す斜視図である。
【図４】下地鋼材を支持部材で支持した状態を示す斜視図である。
【図５】図４の断面図である。
【図６】下地鋼材を他の支持部材で支持した状態を示す断面図である。
【図７】下地鋼材を更に他の支持部材で支持した状態を示す断面図である。
【発明を実施するための形態】
【００１３】
以下、図面を参照しつつ本発明に係る壁パネル取付構造の好適な実施形態について詳細に説明する。
【００１４】
図１〜図３に示されるように、壁パネル取付構造１は、建物１００の外壁をなす壁パネルＰ１，Ｐ２を、横架材３に取り付ける構造である。例えば、横架材３は、木造の建物１００における木質の梁である。「木質の横架材」とは、木質材のみからなる横架材、木質材が接着やビス締め等の手段により集成された横架材、Ｈ形鋼などの鋼材を木質材（集成材を含む）で覆った横架材、複層構成になっていて非木質材の（不燃）層と木質材の層を有する横架材（最外層は木質材であっても非木質材であってもよい）、木質材を耐火被覆材で保護した横架材、木質材からなる主たる構造部材を耐火材で被覆し更にその耐火材を木質材で覆った横架材、木質材（集成材を含む）の中央にＨ形鋼などの鋼材からなる主たる構造部材を埋設した横架材など、がある。
【００１５】
壁パネルＰ１，Ｐ２は、例えば、高さ３０００ｍｍ、幅６００ｍｍ、厚さ１００ｍｍといった寸法をもつＡＬＣパネル(Autoclaved Lightweight aerated Concretepanels)であり、壁パネルＰ１と壁パネルＰ２とは、建物１００の外壁面において上下に隣接している。以下の説明においては、上記２枚の壁パネルＰ１，Ｐ２のうち、上方に位置する方を「上段パネルＰ１」、下方に位置する方を「下段パネルＰ２」と区別して称する場合がある。また、各部位の位置関係の説明で用いる「外」、「内」の語は、建物１００の外側、内側に対応するものとする。
【００１６】
壁パネル取付構造１においては、上段パネルＰ１の下端部と下段パネルＰ２の上端部とが、１つの同じ横架材３に固定されている。具体的には、横架材３の上面３ａに下地鋼材６が設置され、上段パネルＰ１の下端中央部と下段パネルＰ２の上端中央部とが、取付金具７を介して下地鋼材６に外側で固定されている。更に、下地鋼材６には自重受金具９が取り付けられており、自重受金具９が上段パネルＰ１の自重を受けている。なお、上段パネルＰ１の上端中央部は、横架材３の上方に位置する他の横架材（図示せず）に固定され、下段パネルＰ２の下端中央部は、横架材３の下段に位置する他の横架材（図示せず）や基礎立上がり（図示せず）等に固定される。
【００１７】
下地鋼材６は、横架材３に平行に延びる鋼製のアングル材であり、横架材３の水平な上面３ａに固定される水平フランジ４と、水平フランジ４の縁部から鉛直上方に延びる鉛直フランジ５と、を有する。水平フランジ４が横架材３の上面３ａにビス止めされることで、下地鋼材６が横架材３に固定されている。鉛直フランジ５は、横架材３の上面３ａから僅かに外側にはみ出した位置にある。この鉛直フランジ５のはみ出し量が、下地鋼材６の設置時に調整されることで、壁パネルＰ１，Ｐ２の設置位置を水平方向に出入り調整することができる。
【００１８】
取付金具７は、図３（ａ）にも示されるように、上下方向に延びる短冊状の金具である。取付金具７の上部には、上段パネルＰ１を取り付けるための上段取付部２１が設けられ、取付金具７の下部には、下段パネルＰ２を取り付けるための下段取付部２３が設けられている。上段取付部２１と下段取付部２３との間には、下地鋼材６の鉛直フランジ５に接合されるフランジ固定部２２が設けられている。
【００１９】
フランジ固定部２２には、上下方向に延在する長穴をなすボルト穴２２ａが形成されている。これに対応して、下地鋼材６の鉛直フランジ５にも水平方向に延在する長穴をなすボルト穴５ａが形成されている。そして、ボルト穴２２ａ及びボルト穴５ａを挿通するボルト１１ａ及びナット１１ｂを用いて、取付金具７が鉛直フランジ５の外面にボルト止めされている。ボルト穴２２ａが上下方向に延在する長穴であるので、取付金具７の取付位置を上下方向に調整することができ、ひいては、壁パネルＰ１，Ｐ２の設置位置を上下方向に調整することができる。一方、鉛直フランジ５のボルト穴５ａは水平方向に延在する長穴であるので、取付金具７の取付位置を下地鋼材６の延在方向にも調整することができ、ひいては、壁パネルＰ１，Ｐ２の設置位置を幅方向にも調整することができる。
【００２０】
更に、フランジ固定部２２には、ボルト穴２２ａの両側に左右一対のビス穴２２ｃ，２２ｄが設けられている。取付金具７の回り止め処理として、このビス穴２２ｃ，２２ｄの少なくとも一方にビス１３が挿通され、フランジ固定部２２が鉛直フランジ５にビス止めされている。この回り止め処理により、ボルト１１ａを中心とした取付金具７の回転方向の位置が固定され、その結果、壁パネルＰ１，Ｐ２の位置が確実に固定される。また、上記のビス１３としてドリリングタッピンビスを採用することにより、事前に鉛直フランジ５に下穴を準備する必要がなくなる。なお、一方のビス穴２２ｃのみでビス止めがされているが（図１参照）、フランジ固定部２２の回り止めを確実にする観点からは、両方のビス穴２２ｃ，２２ｄにおいてビス止めを行うことが好ましい。
【００２１】
上段取付部２１の上端縁部には、上下方向に延在するＵ溝２１ａが形成されている。これに対応し、上段パネルＰ１の内面の下端中央部には、円筒状の植設ナット１７が埋設されている。上段パネルＰ１の取付時には、植設ナット１７にボルト１５の先端部が螺合され、ボルト１５の頭部が上段パネルＰ１の内面から離間した状態になっている。そして、ボルト１５の後端部がＵ溝２１ａに上から挿入されることで上段パネルＰ１が取付金具７に引掛けられ、その後、ボルト１５を締め込むことで上段取付部２１に上段パネルＰ１が固定される。上段取付部２１の外面は、上段パネルＰ１の内面に密着する上段パネル受面２１ｂとして機能している。
【００２２】
下段取付部２３には、ボルト穴２３ａが形成されている。これに対応し、下段パネルＰ２の内面の上端中央部には、円筒状の植設ナット１８が埋設されている。下段パネルＰ２の内面の上端中央部が、植設ナット１８、ボルト１６及びボルト穴２３ａを用いて下段取付部２３にボルト止めされている。下段取付部２３の外面は、下段パネルＰ２の内面に密着する下段パネル受面２３ｂとして機能している。上段パネル受面２１ｂと下段パネル受面２３ｂとが、互いに同一の鉛直面内に位置していることで、上段パネルＰ１の外面と下段パネルＰ２の外面とが、互いに同一の鉛直面内に揃うことになる。
【００２３】
取付金具７は２箇所の屈曲部７ａ，７ｂにおいて側面視で台形状をなすように屈曲されており、フランジ固定部２２は、上段取付部２１及び下段取付部２３に対して内側に膨出している。この形状により、フランジ固定部２２の外面２２ｂが、上段パネル受面２１ｂ及び下段パネル受面２３ｂよりも内側に位置することになる。従って、外面２２ｂ上に突出するボルト１１ａの頭やビス１３の頭が、上段パネルＰ１及び下段パネルＰ２に干渉しないようになっている。また、上段パネルＰ１の下端は屈曲部７ａよりも下方まで延びており、下段パネルＰ１の上端は屈曲部７ｂよりも上方まで延びている。
【００２４】
図３（ｂ）にも示されるように、自重受金具９は、両端に鉛直に設けられた取付フランジ９ａ，９ｂと、取付フランジ９ａ，９ｂの間で水平に延びるパネル受け部９ｃとを有している。自重受金具９は、平面視でＵ字状をなしており、取付金具７を跨ぐように鉛直フランジ５の外面に取り付けられる。すなわち、自重受金具９は、取付金具７を水平方向に挟む位置において、取付フランジ９ａ，９ｂで鉛直フランジ５にビス止めされる。取付フランジ９ａ，９ｂの間には、切り欠き状の逃げ部９ｄが形成されている。この逃げ部９ｄの存在により、パネル受け部９ｃと鉛直フランジ５との間に間隙が形成され、この間隙に取付金具７が挿通されている。また、逃げ部９ｄの存在により、パネル受け部９ｃとボルト１１ａの頭との干渉が回避されている。なお、取付金具７の位置が、図１及び図２に例示する位置よりも下方にずれた場合には、ビス１３とパネル受け部９ｃとが同じ高さに位置する場合もあるが、この場合にも、逃げ部９ｄの存在により、パネル受け部９ｃとビス１３の頭との干渉が回避される。
【００２５】
パネル受け部９ｃは、取付金具７の屈曲部７ａと屈曲部７ｂとの間の高さに位置している。上段パネルＰ１の下端面がパネル受け部９ｃに当接することにより、上段パネルＰ１が上下方向に位置決めされると共に、上段パネルＰ１の自重が自重受金具９に支持される。前述のように自重受金具９が取付金具７を跨ぐ構造により、パネル受け部９ｃが上段パネルＰ１の下端面の中央に当接することになる。その結果、自重受金具９が、上段パネルＰ１の下端の中央を支持するので、自重受金具９が上段パネルＰ１のロッキング動作を阻害することが避けられる。
【００２６】
図４及び図５に示されるように、鉛直方向に延在する壁パネルＰ１，Ｐ２の水平方向の出入り調整に利用される下地鋼材６の鉛直フランジ５は、木質の横架材３の上面３ａの端部から所定長さＡだけ突出した状態で、横架材３の上面３ａにビス類の一例をなすラグスクリュー３０により固定されている。そして、横架材３の前面３ｂにビス類の一例をなす木ねじ５１によって固定された支持部材５０の上端５０ａにより、下地鋼材６の水平フランジ４の下面４ａは支持される。なお、支持部材５０には、所定間隔でビス貫通孔５０ｂが予め形成されている。
【００２７】
支持部材５０は、フラットな鋼材により構成され、支持部材５０の上端５０ａは、下地鋼材６の水平フランジ４の下面４ａのうちの横架材３の上面３ａの前端部から突出する部分Ｓに当接される。フラットな鋼材からなる支持部材５０は形状がシンプルであり、支持部材５０の取り扱い作業性も良好で、低コストを可能にする。また、木ねじ５１の外径は、支持部材５０のビス貫通孔５０ｂの径と略同径である。これによって、横架材３にクリープ現象や木痩せが起きても、木ねじ５１と支持部材５０との間で起こるガタ付きを防止することができる。なお、横架材３の上面３ａのうちで下地鋼材６の水平フランジ４が存在しない部分Ｒは、床パネル５２などの設置のために確保されている。
【００２８】
この壁パネル取付構造１において、木質の横架材３と壁パネルＰ１，Ｐ２とを所定の間隔をもって離間させると、柱や横架材３自体の製作寸法誤差・反り、建て方誤差、柱と横架材３との接合部分での不陸などを吸収して壁パネルＰ１と壁パネルＰ２とを含む壁パネルの面が揃わないような事態を回避させることができる。これを達成するために、木質の横架材３に沿って延在するＬ形の下地鋼材６が利用される。この下地鋼材６の鉛直フランジ５は、壁パネルＰ１，Ｐ２に固定された取付金具７に固定され、下地鋼材６の水平フランジ４は、鉛直フランジ５が木質の横架材３の上面３ａの端部から所定長さだけ突出した状態で、横架材３の上面３ａにラグスクリュー３０により固定される。
【００２９】
このように、下地鋼材６の鉛直フランジ５を、木質の横架材３の上面３ａの端部から所定長さＡだけ突出させることで、木質の横架材３と壁パネルＰ１，Ｐ２とを所定の間隔をもって離間させることができる。よって、Ｌ形の下地鋼材６の利用により、壁パネルＰ１，Ｐ２と木製横架材３との間を簡単な構成をもって所定の隙間を空けることができる。そして、柱や横架材３自体の製作寸法誤差・反り、建て方誤差、柱と横架材３との接合部分での不陸などを吸収して壁パネルＰ１と壁パネルＰ２とを含む壁パネルの面が揃わないような事態を回避させることができる。
【００３０】
さらに、横架材３は、木質ゆえに調湿機能をもっているが、横架材３には常にパネルの重量が掛かっているので、経年変化によってクリープ変形が発生し易く、しかも木やせも発生する。そして、下地鋼材６の鉛直フランジ５を、木質の横架材３の上面３ａの端部から所定長さＡだけ突出させているので、木質の横架材３の上面３ａの端部に大きな支圧力が作用するためのクリープ変形が発生し易く、このような変形が起こると、当初は、横架材３に沿って水平に固定された下地鋼材６の水平フランジ４が次第に傾いてしまい、それによって鉛直フランジ５が拝むように下を向いてしまう。この拝み現象によって、壁パネルＰ１，Ｐ２が傾いたり、取付金具７に無理な負荷が加わってしまう。
【００３１】
これを防止するために、横架材３の前面３ｂに木ねじ５１によって支持部材５０を固定させ、この支持部材５０により、下地鋼材６の水平フランジ４の下面４ａを支持する。仮に、支持部材５０を利用せずに、このような拝み現象を発生させないようにするには、下地鋼材６の水平フランジ４を、木質の横架材３の上面３ａに当接させる面積を大きくし、下地鋼材６を固定するためのラグスクリュー３０から横架材３の前面３ｂ側の端部までの距離Ｌを長くする必要があるが、それによって、下地鋼材６の水平フランジ４の大型化を余儀なくされ、下地鋼材６の重量の増大や大型化を招来する。よって、支持部材５０を利用することで、下地鋼材６の小型軽量化を図ることができる。そして、支持部材５０の小型化により、横架材３の上面３ａのうちで下地鋼材６の水平フランジ４が存在しない部分Ｒの拡大化が容易になり、床パネル５２を横架材３の上面３ａに確実に設置させることもできる。
【００３２】
支持部材５０として、木質横架材の支圧強度と同等以上の支圧強度を有する材、及び／又は、木質横架材の支圧剛性と同等以上の支圧剛性を有する材が好ましい。支持部材５０として、木質横架材の支圧強度より高い支圧強度を有する材、及び／又は、木質横架材の支圧剛性より高い支圧剛性を有する材がより好ましい。支持部材５０として、不燃材であるとなお一層好ましい。支持部材５０の材質として、鋼材、アルミ材、木質材、樹脂成形材、セメント系成形材が好ましい。支持部材５０の木質材にあっては、木質横架材よりも高比重の木材、合板、圧密化木材、含浸処理木材、などが挙げられる。
【００３３】
本発明は、前述した実施形態に限定されず、本発明の要旨を逸脱しない範囲で種々の変形が可能である。
【００３４】
図６に示されるように、支持部材６０は、水平フランジ６０ａと垂直フランジ６０ｂとからなるＬ形の鋼材により構成され、支持部材６０の水平フランジ６０ａは、下地鋼材６の水平フランジ４の下面４ａのうちの横架材３の上面３ａの前端部から突出する部分Ｓに当接される。このような構成を採用すると、支持部材６０によって下地鋼材６を、横架材３の上面３ａの前端部から可能な限り前方で支持することができるので、クリープ現象等による下地鋼材６の拝み現象を起き難くし、横架材３の上面３ａで下地鋼材６の無い部分Ｒを大きくすることができる。これによって、横架材３の上面３ａで床パネル５２などの設置面積を大きくすることができる。
【００３５】
図７に示されるように、支持部材７０は、水平フランジ７０ａと垂直フランジ７０ｂとからなるＬ形の鋼材により構成され、支持部材７０の水平フランジ７０ａは、横架材３の上面３ａと下地鋼材６の水平フランジ４の下面４ａとの間に配置され、ラグスクリュー３０が下地鋼材６及び支持部材７０を貫通している。このような構成を採用すると、支持部材７０の水平フランジ７０ａが横架材３の上面３ａと下地鋼材６の水平フランジ４の下面４ａとの間で挟持されるので、横架材３にクリープ現象や木やせが起きても、支持部材７０と下地鋼材６との一体化を維持させ易い。
【００３６】
また、支持部材５０，６０，７０は、断面がコ字状、Ｉ字状、Ｈ字状の何れであってもよい。支持部材５０，６０，７０は、下地鋼材６の全長に沿って延在していなくとも、下地鋼材６を間欠的に支持するようにしてもよい。
【００３７】
ビス類３０，５１は、ビスに限らずボルト、ネジ、釘などを含む。
【符号の説明】
【００３８】
Ｐ１，Ｐ２…壁パネル、１…壁パネル取付構造、３…横架材、３ａ…横架材の上面、３ｂ…横架材の前面、４…水平フランジ、４ａ…水平フランジの下面、５…鉛直フランジ、６…下地鋼材、７…取付金具、３０…ラグスクリュー（ビス類）、５０，６０，７０…支持部材、５１…木ねじ（ビス類）、５２…床パネル、６０ａ，７０ａ…支持部材の水平フランジ、６０ｂ，７０ｂ…支持部材の垂直フランジ。
【図１】
2014025263.tif 000003
【図２】
2014025263.tif 000004
【図３】
2014025263.tif 000005
【図４】
2014025263.tif 000006
【図５】
2014025263.tif 000007
【図６】
2014025263.tif 000008
【図７】
2014025263.tif 000009